(57)【要約】【課題】本発明はお茶コップを開示した。【解決手段】お茶コップ及び前記お茶コップの中に設置されるコップチャンバを含み、前記お茶コップの外側端面には取っ手が設置され、前記お茶コップの頂壁には一端が前記コップチャンバに連通してもう一端が外部空間に連通している流れガイド溝が設置され、前記お茶コップの中には取り付け溝が設置され、前記取り付け溝の中には取り付けブロックがスライドできるように設置され、本発明は構成が簡単で、操作が便利で、飲む人数により入れる茶葉の量を正確に制御し、お茶は茶葉の量が多すぎるまたは少なすぎることにより濃すぎるまたは薄すぎることを防止し、お茶の風味を保証し、これにより比較的に完璧なお茶を入れることができ、お茶コップの実用性を大幅に向上させる。【選択図】図１
2020175094.tif 000002
【特許請求の範囲】
【請求項１】
お茶コップ及び前記お茶コップの中に設置されるコップチャンバを含み、前記お茶コップの外側端面には取っ手が設置され、前記お茶コップの頂壁には一端が前記コップチャンバに連通してもう一端が外部空間に連通している流れガイド溝が設置され、前記お茶コップの中には取り付け溝が設置され、前記取り付け溝の中には取り付けブロックがスライドできるように設置され、前記取り付けブロックの中には上へ開口した茶葉置き溝が設置され、前記茶葉置き溝の底壁には三組の阻み板が固定的に設置され、前記阻み板の間が上へ開口した定量溝を形成し、お茶を入れる前に茶葉を前記定量溝の中に置き、前記コップチャンバの底壁には前記取り付け溝に連通している連通孔が設置され、前記連通孔の数が前記定量溝の数と同じであり、前記お茶コップの中には制御チャンバが設置され、前記コップチャンバの底壁には前記連通孔を貫通しているガイド溝が設置され、前記ガイド溝の中にはスライダにより閉鎖シートがスライドできるように設置され、前記閉鎖シートが前記連通孔を閉鎖し、前記スライダと前記ガイド溝の右側内壁との間には第一ばねが連結され、前記制御チャンバの中には回転軸が回転できるように設置され、前記回転軸にはリールが固定的に設置され、前記閉鎖シートの一端が前記制御チャンバの中まで伸びており、且つ前記リールに巻き付いており、前記制御チャンバの中には制御機構が設置され、前記制御機構が前記リールと伝動できるように連結され、お茶を入れる時、人数により前記制御機構を操作し、前記制御機構が前記回転軸を駆動して回転させて更に前記リールに閉鎖シートを巻きつけ、一定の数の前記連通孔を開け、これにより前記定量溝が前記コップチャンバに連通し、この時、お茶を入れることができ、前記お茶コップの中には復帰機構が設置され、前記定量溝の中の茶葉を使い尽くした後、前記取り付けブロックを引き出して茶葉を添加し、前記取り付けブロックを再び前記取り付け溝の中に挿入した後、前記復帰機構が前記制御機構を駆動して復帰させることを特徴とするお茶コップ。
【請求項２】
前記制御機構は前記制御チャンバの後壁に回転できるように設置されるギヤ軸を含み、前記ギヤ軸と前記回転軸との間がプーリ機構により伝動できるように連結され、前記ギヤ軸にはギヤが固定的に設置され、前記制御チャンバの後壁には第一スライド溝が設置され、前記第一スライド溝の中には第一ラックがスライドできるように設置され、前記第一ラックと前記第一スライド溝の頂壁との間には復帰ばねが連結され、前記お茶コップの右端面には前記制御チャンバに連通している制御スライド溝が設置され、前記制御スライド溝の中には前記第一ラックと固定的に連結されている制御ブロックがスライドできるように設置され、前記制御スライド溝の後壁にはカムチャンバが設置され、前記カムチャンバの左壁の中にはスライド溝が上下対称的に設置され、前記スライド溝の中には連結スライダがスライドできるように設置され、前記連結スライダと前記スライド溝の後壁との間にはリターンばねが連結され、前記連結スライダの右端には連結板が固定的に設置され、前記連結板には前記定量溝と同じ数の引っ掛かりブロックが設置され、前記引っ掛かりブロックは弾性材質であり、前記引っ掛かりブロックの一端が前記制御スライド溝の中に伸びており、二つの前記引っ掛かりブロックの間は定位溝が形成され、前記制御ブロックが前記引っ掛かりブロックの作用のもとで位置を保持する効果を奏し、二人分の茶葉を入れる時、前記制御ブロックが下へスライドして二つの前記定位溝を経由し、これにより二つの前記連通孔を開けることを特徴とする請求項１に記載のお茶コップ。
【請求項３】
前記復帰機構は前記取り付け溝の底壁の中に設置されるばね溝を含み、前記ばね溝の中には押圧板がスライドできるように設置され、前記押圧板と前記ばね溝の左壁との間には第二ばねが連結され、前記押圧板の右端面には引き線が固定的に連結され、前記カムチャンバの左壁には第二スライド溝が設置され、前記第二スライド溝の中には第二ラックがスライドできるように設置され、前記第二ラックと前記第二スライド溝の底壁との間にはばねが連結され、前記ばねの弾力が前記第二ばねの弾力により小さく、前記引き線が前記第二スライド溝の中に伸びており、且つ前記第二ラックの上端面と固定的に連結され、前記カムチャンバの左壁にはカム軸が回転できるように設置され、前記カム軸には前記第二ラックと噛み合っている伝動ギヤが固定的に設置され、前記カム軸にはカムが固定的に設置され、前記カムの一端が前記連結板の後端面と当接しており、茶葉を使用し終わった後、前記制御ブロックが前記制御スライド溝の中の一番下側に位置し、茶葉を添加した後、再び前記取り付けブロックを挿入し、前記押圧板を押圧して前記引き線により前記第二ラックを連動させて移動させ、更に前記カムを回転させ、前記連結板が前記リターンばねの復帰作用のもとで前記引っ掛かりブロックを収縮させ、前記制御ブロックが前記復帰ばねの作用のもとで復帰することを特徴とする請求項１に記載のお茶コップ。
【請求項４】
前記取り付けブロックの左端面には固定溝が設置され、前記お茶コップの左端面には外スライド溝が設置され、前記外スライド溝の中には固定スライダがスライドできるように設置され、前記固定スライダと前記外スライド溝の頂壁との間には押圧ばねが連結され、前記固定スライダを前記固定溝の中に挿入して前記取り付けブロックを固定することを特徴とする請求項１に記載のお茶コップ。
【発明の詳細な説明】
【技術分野】
【０００１】
本発明はコップ技術分野を取り上げて、具体的にはお茶コップである。
【背景技術】
【０００２】
お茶を入れる時、もし入れた茶葉が多すぎるとお茶が濃すぎるようになり、入れた茶葉が少すぎるとお茶が薄すぎるようになり、比較的に完璧なお茶を入れようとすると、茶葉を入れる量を正確に制御する必要があり、手で操作すると茶葉の量を正確に制御しにくく、上記の欠点について、本装置を提供した。
【先行技術文献】
【特許文献】
【０００３】
【特許文献１】中国特許出願公開第１０９１７１３８５号明細書
【発明の概要】
【発明が解決しようとする課題】
【０００４】
本発明はお茶コップを提供し、従来技術における上記欠点を解消することを目的とする。
【課題を解決するための手段】
【０００５】
本発明装置のお茶コップは、お茶コップ及び前記お茶コップの中に設置されるコップチャンバを含み、前記お茶コップの外側端面には取っ手が設置され、前記お茶コップの頂壁には一端が前記コップチャンバに連通してもう一端が外部空間に連通している流れガイド溝が設置され、前記お茶コップの中には取り付け溝が設置され、前記取り付け溝の中には取り付けブロックがスライドできるように設置され、前記取り付けブロックの中には上へ開口した茶葉置き溝が設置され、前記茶葉置き溝の底壁には三組の阻み板が固定的に設置され、前記阻み板の間が上へ開口した定量溝を形成し、お茶を入れる前に茶葉を前記定量溝の中に置き、前記コップチャンバの底壁には前記取り付け溝に連通している連通孔が設置され、前記連通孔の数が前記定量溝の数と同じであり、前記お茶コップの中には制御チャンバが設置され、前記コップチャンバの底壁には前記連通孔を貫通しているガイド溝が設置され、前記ガイド溝の中にはスライダにより閉鎖シートがスライドできるように設置され、前記閉鎖シートが前記連通孔を閉鎖し、前記スライダと前記ガイド溝の右側内壁との間には第一ばねが連結され、前記制御チャンバの中には回転軸が回転できるように設置され、前記回転軸にはリールが固定的に設置され、前記閉鎖シートの一端が前記制御チャンバの中まで伸びており、且つ前記リールに巻き付いており、前記制御チャンバの中には制御機構が設置され、前記制御機構が前記リールと伝動できるように連結され、お茶を入れる時、人数により前記制御機構を操作し、前記制御機構が前記回転軸を駆動して回転させて更に前記リールに閉鎖シートを巻きつけ、一定の数の前記連通孔を開け、これにより前記定量溝が前記コップチャンバに連通し、この時、お茶を入れることができ、前記お茶コップの中には復帰機構が設置され、前記定量溝の中の茶葉を使い尽くした後、前記取り付けブロックを引き出して茶葉を添加し、前記取り付けブロックを再び前記取り付け溝の中に挿入した後、前記復帰機構が前記制御機構を駆動して復帰させる。
【０００６】
好ましくは、前記制御機構は前記制御チャンバの後壁に回転できるように設置されるギヤ軸を含み、前記ギヤ軸と前記回転軸との間がプーリ機構により伝動できるように連結され、前記ギヤ軸にはギヤが固定的に設置され、前記制御チャンバの後壁には第一スライド溝が設置され、前記第一スライド溝の中には第一ラックがスライドできるように設置され、前記第一ラックと前記第一スライド溝の頂壁との間には復帰ばねが連結され、前記お茶コップの右端面には前記制御チャンバに連通している制御スライド溝が設置され、前記制御スライド溝の中には前記第一ラックと固定的に連結されている制御ブロックがスライドできるように設置され、前記制御スライド溝の後壁にはカムチャンバが設置され、前記カムチャンバの左壁の中にはスライド溝が上下対称的に設置され、前記スライド溝の中には連結スライダがスライドできるように設置され、前記連結スライダと前記スライド溝の後壁との間にはリターンばねが連結され、前記連結スライダの右端には連結板が固定的に設置され、前記連結板には前記定量溝と同じ数の引っ掛かりブロックが設置され、前記引っ掛かりブロックは弾性材質であり、前記引っ掛かりブロックの一端が前記制御スライド溝の中に伸びており、二つの前記引っ掛かりブロックの間は定位溝が形成され、前記制御ブロックが前記引っ掛かりブロックの作用のもとで位置を保持する効果を奏し、二人分の茶葉を入れる時、前記制御ブロックが下へスライドして二つの前記定位溝を経由し、これにより二つの前記連通孔を開ける。
【０００７】
好ましくは、前記復帰機構は前記取り付け溝の底壁の中に設置されるばね溝を含み、前記ばね溝の中には押圧板がスライドできるように設置され、前記押圧板と前記ばね溝の左壁との間には第二ばねが連結され、前記押圧板の右端面には引き線が固定的に連結され、前記カムチャンバの左壁には第二スライド溝が設置され、前記第二スライド溝の中には第二ラックがスライドできるように設置され、前記第二ラックと前記第二スライド溝の底壁との間にはばねが連結され、前記ばねの弾力が前記第二ばねの弾力により小さく、前記引き線が前記第二スライド溝の中に伸びており、且つ前記第二ラックの上端面と固定的に連結され、前記カムチャンバの左壁にはカム軸が回転できるように設置され、前記カム軸には前記第二ラックと噛み合っている伝動ギヤが固定的に設置され、前記カム軸にはカムが固定的に設置され、前記カムの一端が前記連結板の後端面と当接しており、茶葉を使用し終わった後、前記制御ブロックが前記制御スライド溝の中の一番下側に位置し、茶葉を添加した後、再び前記取り付けブロックを挿入し、前記押圧板を押圧して前記引き線により前記第二ラックを連動させて移動させ、更に前記カムを回転させ、前記連結板が前記リターンばねの復帰作用のもとで前記引っ掛かりブロックを収縮させ、前記制御ブロックが前記復帰ばねの作用のもとで復帰する。
【０００８】
好ましくは、前記取り付けブロックの左端面には固定溝が設置され、前記お茶コップの左端面には外スライド溝が設置され、前記外スライド溝の中には固定スライダがスライドできるように設置され、前記固定スライダと前記外スライド溝の頂壁との間には押圧ばねが連結され、前記固定スライダを前記固定溝の中に挿入して前記取り付けブロックを固定する。
【発明の効果】
【０００９】
以上により、本発明は構成が簡単で、操作が便利で、飲む人数により入れる茶葉の量を正確に制御し、お茶は茶葉の量が多すぎるまたは少なすぎることにより濃すぎるまたは薄すぎることを防止し、お茶の風味を保証し、これにより比較的に完璧なお茶を入れることができ、お茶コップの実用性を大幅に向上させる。
【図面の簡単な説明】
【００１０】
以下に図１〜５を交えて本発明について詳しく説明する。便利に叙述するために、後文に出る方位を下記の通りに規定する：後文に出る上下左右前後方向は図１本体の投影関係の上下左右前後方向と一致する。
【００１１】
【図１】図１は本発明のお茶コップの全体構成模式図
【図２】図２は図１の中のＡ−Ａの構成模式図
【図３】図３は図１の中のＢ−Ｂの構成模式図
【図４】図４は図１の中のＣ−Ｃの構成模式図
【図５】図５は図３の中のＤ−Ｄの構成模式図
【発明を実施するための形態】
【００１２】
以下は付図説明と実施例を交えて本発明について更に説明し、本発明の方式は以下の実施例を含むが、これのみに限定されるものではない。    
【００１３】
図１〜５に示すように、本発明装置のお茶コップは、お茶コップ１０及び前記お茶コップ１０の中に設置されるコップチャンバ１１を含み、前記お茶コップ１０の外側端面には取っ手１２が設置され、前記お茶コップ１０の頂壁には一端が前記コップチャンバ１１に連通してもう一端が外部空間に連通している流れガイド溝４０が設置され、前記お茶コップ１０の中には取り付け溝１７が設置され、前記取り付け溝１７の中には取り付けブロック３３がスライドできるように設置され、前記取り付けブロック３３の中には上へ開口した茶葉置き溝１８が設置され、前記茶葉置き溝１８の底壁には三組の阻み板２０が固定的に設置され、前記阻み板２０の間が上へ開口した定量溝１９を形成し、お茶を入れる前に茶葉を前記定量溝１９の中に置き、前記コップチャンバ１１の底壁には前記取り付け溝１７に連通している連通孔３２が設置され、前記連通孔３２の数が前記定量溝１９の数と同じであり、前記お茶コップ１０の中には制御チャンバ２５が設置され、前記コップチャンバ１１の底壁には前記連通孔３２を貫通しているガイド溝５２が設置され、前記ガイド溝５２の中にはスライダ５０により閉鎖シート３１がスライドできるように設置され、前記閉鎖シート３１が前記連通孔３２を閉鎖し、前記スライダ５０と前記ガイド溝５２の右側内壁との間には第一ばね５３が連結され、前記制御チャンバ２５の中には回転軸２６が回転できるように設置され、前記回転軸２６にはリール２７が固定的に設置され、前記閉鎖シート３１の一端が前記制御チャンバ２５の中まで伸びており、且つ前記リール２７に巻き付いており、前記制御チャンバ２５の中には制御機構１００が設置され、前記制御機構１００が前記リール２７と伝動できるように連結され、お茶を入れる時、人数により前記制御機構１００を操作し、前記制御機構１００が前記回転軸２６を駆動して回転させて更に前記リール２７に閉鎖シート３１を巻きつけ、一定の数の前記連通孔３２を開け、これにより前記定量溝１９が前記コップチャンバ１１に連通し、この時、お茶を入れることができ、前記お茶コップ１０の中には復帰機構２００が設置され、前記定量溝１９の中の茶葉を使い尽くした後、前記取り付けブロック３３を引き出して茶葉を添加し、前記取り付けブロック３３を再び前記取り付け溝１７の中に挿入した後、前記復帰機構２００が前記制御機構１００を駆動して復帰させる。
【００１４】
有益的には、前記制御機構１００は前記制御チャンバ２５の後壁に回転できるように設置されるギヤ軸３６を含み、前記ギヤ軸３６と前記回転軸２６との間がプーリ機構３４により伝動できるように連結され、前記ギヤ軸３６にはギヤ３５が固定的に設置され、前記制御チャンバ２５の後壁には第一スライド溝３９が設置され、前記第一スライド溝３９の中には第一ラック３７がスライドできるように設置され、前記第一ラック３７と前記第一スライド溝３９の頂壁との間には復帰ばね３８が連結され、前記お茶コップ１０の右端面には前記制御チャンバ２５に連通している制御スライド溝２９が設置され、前記制御スライド溝２９の中には前記第一ラック３７と固定的に連結されている制御ブロック３０がスライドできるように設置され、前記制御スライド溝２９の後壁にはカムチャンバ４７が設置され、前記カムチャンバ４７の左壁の中にはスライド溝５５が上下対称的に設置され、前記スライド溝５５の中には連結スライダ４２がスライドできるように設置され、前記連結スライダ４２と前記スライド溝５５の後壁との間にはリターンばね４３が連結され、前記連結スライダ４２の右端には連結板４１が固定的に設置され、前記連結板４１には前記定量溝１９と同じ数の引っ掛かりブロック２８が設置され、前記引っ掛かりブロック２８は弾性材質であり、前記引っ掛かりブロック２８の一端が前記制御スライド溝２９の中に伸びており、二つの前記引っ掛かりブロック２８の間は定位溝５６が形成され、前記制御ブロック３０が前記引っ掛かりブロック２８の作用のもとで位置を保持する効果を奏し、二人分の茶葉を入れる時、前記制御ブロック３０が下へスライドして二つの前記定位溝５６を経由し、これにより二つの前記連通孔３２を開ける。
【００１５】
有益的には、前記復帰機構２００は前記取り付け溝１７の底壁の中に設置されるばね溝２２を含み、前記ばね溝２２の中には押圧板２４がスライドできるように設置され、前記押圧板２４と前記ばね溝２２の左壁との間には第二ばね２１が連結され、前記押圧板２４の右端面には引き線２３が固定的に連結され、前記カムチャンバ４７の左壁には第二スライド溝４８が設置され、前記第二スライド溝４８の中には第二ラック４６がスライドできるように設置され、前記第二ラック４６と前記第二スライド溝４８の底壁との間にはばね４９が連結され、前記ばね４９の弾力が前記第二ばね２１の弾力により小さく、前記引き線２３が前記第二スライド溝４８の中に伸びており、且つ前記第二ラック４６の上端面と固定的に連結され、前記カムチャンバ４７の左壁にはカム軸４５が回転できるように設置され、前記カム軸４５には前記第二ラック４６と噛み合っている伝動ギヤ５４が固定的に設置され、前記カム軸４５にはカム４４が固定的に設置され、前記カム４４の一端が前記連結板４１の後端面と当接しており、茶葉を使用し終わった後、前記制御ブロック３０が前記制御スライド溝２９の中の一番下側に位置し、茶葉を添加した後、再び前記取り付けブロック３３を挿入し、前記押圧板２４を押圧して前記引き線２３により前記第二ラック４６を連動させて移動させ、更に前記カム４４を回転させ、前記連結板４１が前記リターンばね４３の復帰作用のもとで前記引っ掛かりブロック２８を収縮させ、前記制御ブロック３０が前記復帰ばね３８の作用のもとで復帰する。
【００１６】
有益的には、前記取り付けブロック３３の左端面には固定溝１６が設置され、前記お茶コップ１０の左端面には外スライド溝１３が設置され、前記外スライド溝１３の中には固定スライダ１５がスライドできるように設置され、前記固定スライダ１５と前記外スライド溝１３の頂壁との間には押圧ばね１４が連結され、前記固定スライダ１５を前記固定溝１６の中に挿入して前記取り付けブロック３３を固定する。
【００１７】
本願のお茶コップの実現方法は、以下のステップを含む：
【００１８】
初めて使用する時、取り付けブロック３３を引き出し、茶葉を定量溝１９の中に添加し、添加し終わった後、取り付けブロック３３を再び取り付け溝１７の中に挿入し、固定スライダ１５を固定溝１６の中に挿入し、押圧ばね１４の押圧作用のもとで取り付けブロック３３を固定し、お茶を入れる時、人数により下へ制御ブロック３０をスライドさせ、第一ラック３７がギヤ３５と噛み合い、ギヤ軸３６と、プーリ機構３４と、回転軸２６とによりリール２７を連動させて回転させ、閉鎖シート３１を巻きつけ、これにより一定の数の連通孔３２を開け、この時、お茶を入れることができ、定量溝１９の中の茶葉を使い尽くした後、上へ固定スライダ１５をスライドさせ、取り付けブロック３３を引き出して茶葉を添加し、取り付けブロック３３を再び取り付け溝１７の中に挿入した後、押圧板２４を押圧して引き線２３により第二ラック４６を連動させて移動させ、伝動ギヤ５４とカム軸４５によりカム４４を連動させて回転させ、連結板４１がリターンばね４３の復帰作用のもとで引っ掛かりブロック２８を収縮させ、制御ブロック３０が復帰ばね３８の作用のもとで復帰し、閉鎖シート３１が第一ばね５３の復帰作用のもとで復帰し、カム４４が初期位置に戻るまで回転し続け、引っ掛かりブロック２８が復帰する。
【００１９】
本発明の有益効果は：本発明は構成が簡単で、操作が便利で、飲む人数により入れる茶葉の量を正確に制御し、お茶は茶葉の量が多すぎるまたは少なすぎることにより濃すぎるまたは薄すぎることを防止し、お茶の風味を保証し、これにより比較的に完璧なお茶を入れることができ、お茶コップの実用性を大幅に向上させる。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175094.tif 000003
【図２】
2020175094.tif 000004
【図３】
2020175094.tif 000005
【図４】
2020175094.tif 000006
【図５】
2020175094.tif 000007
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
お茶コップ及び前記お茶コップの中に設置されるコップチャンバを含み、前記お茶コップの外側端面には取っ手が設置され、前記お茶コップの頂壁には一端が前記コップチャンバに連通してもう一端が外部空間に連通している流れガイド溝が設置され、前記お茶コップの中には取り付け溝が設置され、前記取り付け溝の中には取り付けブロックがスライドできるように設置され、前記取り付けブロックの中には上へ開口した茶葉置き溝が設置され、前記茶葉置き溝の底壁には三組の阻み板が固定的に設置され、前記阻み板の間が上へ開口した定量溝を形成し、お茶を入れる前に茶葉を前記定量溝の中に置き、前記コップチャンバの底壁には前記取り付け溝に連通している連通孔が設置され、前記連通孔の数が前記定量溝の数と同じであり、前記お茶コップの中には制御チャンバが設置され、前記コップチャンバの底壁には前記連通孔を貫通しているガイド溝が設置され、前記ガイド溝の中にはスライダにより閉鎖シートがスライドできるように設置され、前記閉鎖シートが前記連通孔を閉鎖し、前記スライダと前記ガイド溝の右側内壁との間には第一ばねが連結され、前記制御チャンバの中には回転軸が回転できるように設置され、前記回転軸にはリールが固定的に設置され、前記閉鎖シートの一端が前記制御チャンバの中まで伸びており、且つ前記リールに巻き付いており、前記制御チャンバの中には制御機構が設置され、前記制御機構が前記リールと伝動できるように連結され、お茶を入れる時、人数により前記制御機構を操作し、前記制御機構が前記回転軸を駆動して回転させて更に前記リールに閉鎖シートを巻きつけ、一定の数の前記連通孔を開け、これにより前記定量溝が前記コップチャンバに連通し、この時、お茶を入れることができ、前記お茶コップの中には復帰機構が設置され、前記定量溝の中の茶葉を使い尽くした後、前記取り付けブロックを引き出して茶葉を添加し、前記取り付けブロックを再び前記取り付け溝の中に挿入した後、前記復帰機構が前記制御機構を駆動して復帰させることができ、
前記復帰機構は前記取り付け溝の底壁の中に設置されるばね溝を含み、前記ばね溝の中には押圧板がスライドできるように設置され、前記押圧板と前記ばね溝の左壁との間には第二ばねが連結され、前記押圧板の右端面には引き線が固定的に連結され、前記カムチャンバの左壁には第二スライド溝が設置され、前記第二スライド溝の中には第二ラックがスライドできるように設置され、前記第二ラックと前記第二スライド溝の底壁との間にはばねが連結され、前記ばねの弾力が前記第二ばねの弾力により小さく、前記引き線が前記第二スライド溝の中に伸びており、且つ前記第二ラックの上端面と固定的に連結され、前記カムチャンバの左壁にはカム軸が回転できるように設置され、前記カム軸には前記第二ラックと噛み合っている伝動ギヤが固定的に設置され、前記カム軸にはカムが固定的に設置され、前記カムの一端が前記連結板の後端面と当接しており、茶葉を使用し終わった後、前記制御ブロックが前記制御スライド溝の中の一番下側に位置し、茶葉を添加した後、再び前記取り付けブロックを挿入し、前記押圧板を押圧して前記引き線により前記第二ラックを連動させて移動させ、更に前記カムを回転させ、前記連結板が前記リターンばねの復帰作用のもとで前記引っ掛かりブロックを収縮させ、前記制御ブロックが前記復帰ばねの作用のもとで復帰することを特徴とするお茶コップ。
【請求項２】
前記制御機構は前記制御チャンバの後壁に回転できるように設置されるギヤ軸を含み、前記ギヤ軸と前記回転軸との間がプーリ機構により伝動できるように連結され、前記ギヤ軸にはギヤが固定的に設置され、前記制御チャンバの後壁には第一スライド溝が設置され、前記第一スライド溝の中には第一ラックがスライドできるように設置され、前記第一ラックと前記第一スライド溝の頂壁との間には復帰ばねが連結され、前記お茶コップの右端面には前記制御チャンバに連通している制御スライド溝が設置され、前記制御スライド溝の中には前記第一ラックと固定的に連結されている制御ブロックがスライドできるように設置され、前記制御スライド溝の後壁にはカムチャンバが設置され、前記カムチャンバの左壁の中にはスライド溝が上下対称的に設置され、前記スライド溝の中には連結スライダがスライドできるように設置され、前記連結スライダと前記スライド溝の後壁との間にはリターンばねが連結され、前記連結スライダの右端には連結板が固定的に設置され、前記連結板には前記定量溝と同じ数の引っ掛かりブロックが設置され、前記引っ掛かりブロックは弾性材質であり、前記引っ掛かりブロックの一端が前記制御スライド溝の中に伸びており、二つの前記引っ掛かりブロックの間は定位溝が形成され、前記制御ブロックが前記引っ掛かりブロックの作用のもとで位置を保持する効果を奏し、二人分の茶葉を入れる時、前記制御ブロックが下へスライドして二つの前記定位溝を経由し、これにより二つの前記連通孔を開けることを特徴とする請求項１に記載のお茶コップ。
【請求項３】
前記取り付けブロックの左端面には固定溝が設置され、前記お茶コップの左端面には外スライド溝が設置され、前記外スライド溝の中には固定スライダがスライドできるように設置され、前記固定スライダと前記外スライド溝の頂壁との間には押圧ばねが連結され、前記固定スライダを前記固定溝の中に挿入して前記取り付けブロックを固定することを特徴とする請求項１に記載のお茶コップ。